(57)【要約】      （修正有）【課題】水洗便器の排水口と床面の排水管のずれが大きい場合でも、偏心ソケットを配置可能で、他の機器からの排水を受けられる偏心ソケットの提供をする。【解決手段】水洗便器の排水口と、床面４０まで起立状に配管された排水管との接続に用いられ、他の機器からの排水を受けられる排水合流部５１ａを有し、排水管の中心軸に対して回転して配置が可能な偏心ソケット５０であって、排水合流部５１ａを、水洗便器のトラップに干渉しない部位に形成する。【選択図】図３
2013072187.tif 000002
【特許請求の範囲】
【請求項１】
水洗便器の排水口と、床面まで起立状に配管された排水管との接続に用いられ、他の機器からの排水を受けられる排水合流部を有し、前記排水管の中心軸に対して回転して配置が可能な偏心ソケットであって、 
前記排水合流部を、前記水洗便器のトラップに干渉しない部位に形成されていることを特徴とする偏心ソケット。
【請求項２】
水洗便器の排水口と、床面まで起立状に配管された排水管との接続に用いられ、他の機器からの排水を受けられる排水合流部を有し、前記排水管の中心軸に対して回転して配置が可能な偏心ソケットであって、
前記排水合流部を、前記偏心ソケットの偏心方向に対して側面側に形成されていることを特徴とする偏心ソケット。
【請求項３】
水洗便器の排水口と、床面まで起立状に配管された排水管との接続に用いられ、他の機器からの排水を受けられる排水合流部を有し、前記排水管の中心軸に対して回転して配置が可能な偏心ソケットであって、 
前記偏心ソケットは、少なくとも前記水洗便器の排水口に連通される接続部と、前記接続部につながる第一管部と、前記第一管部と中心軸を異にし前記第一管部からの排水を受ける第二管部と、前記第二管部につながり床固定する固定部とからなり、
前記他の機器からの排水を受ける排水合流部を前記第一管部または第二管部の偏心方向の側面側に形成されていることを特徴とする偏心ソケット。
【請求項４】
水洗便器の排水口と、床面まで起立状に配管された排水管との接続に用いられ、他の機器からの排水を受けられる排水合流部を有し、前記排水管の中心軸に対して回転して配置が可能な偏心ソケットであって、
前記偏心ソケットは、少なくとも前記水洗便器の排水口に連通される接続部と、前記接続部につながる第一管部と、前記第一管部と中心軸を異にし前記第一管部からの排水を受ける第二管部と、前記第二管部につながり床固定する固定部とからなり、
前記排水合流部が前記第一管部または前記第二管部に少なくとも２個以上形成されていることを特徴とする偏心ソケット。
【請求項５】
床面まで起立状に配管された排水管との接続に偏心ソケットを用い、前記偏心ソケットに他の機器からの排水合流部を有する水洗便器であって、
前記偏心ソケットが請求項１から請求項５のいずれかに記載の偏心ソケットを用いたことを特徴とする水洗便器。
【発明の詳細な説明】
【技術分野】
【０００１】
本発明は、水洗便器と床の排水口を接続する偏心ソケットに関し、特に他の機器からの排水を合流させる偏心ソケットに関する。 
【背景技術】
【０００２】
水洗便器と手洗器が併設されているトイレにおいては、水洗便器からの排水と手洗器からの排水を合流させて床面まで起立状に立ち上げられた１本の排水配管に排出することが行われている。（例えば、特許文献１参照）  この偏心ソケットは偏心量Ｈの範囲で、床の排水管位置と水洗便器の排水口の位置がずれている場合の排水心のずれをカバーできて大変便利である。
【先行技術文献】
【特許文献】
【０００３】
【特許文献１】特開２００５−３３６８９０号公報（図３）
【発明の概要】
【発明が解決しようとする課題】
【０００４】
しかしながら、特許文献１に記載された偏心ソケットでは、偏心量Ｈがフランジ部の範囲に限定されるため、排水心のずれをカバーできる範囲が限定されている。
【０００５】
本発明の目的は、水洗便器の排水口と床面の排水管のずれが大きい場合でも、偏心ソケットを回転して配置可能であって、このソケットに他の機器からの排水を受けられる偏心ソケットを提供することにある。
【課題を解決するための手段】
【０００６】
上記目的を達成するために請求項１記載の発明によれば、水洗便器の排水口と、床面まで起立状に配管された排水管との接続に用いられ、他の機器からの排水を受けられる排水合流部を有し、前記排水管の中心軸に対して回転して配置が可能な偏心ソケットであって、 前記排水合流部を、前記便器のトラップに干渉しない部位に形成されていることを特徴とする偏心ソケットの提供を可能とした。
排水合流部を水洗便器のトラップ部側以外にくるように形成しているので、排水合流部に接続されるホースなどの接続部がトラップ部と干渉することがない。よって、偏心ソケットの配置を前後にする２パターンの使い方に制限を加えずに、トラップとの干渉を防止することができる。
【０００７】
また、請求項２記載の発明によれば、水洗便器の排水口と、床面まで起立状に配管された排水管との接続に用いられ、他の機器からの排水を受けられる排水合流部を有し、前記排水管の中心軸に対して回転して配置が可能な偏心ソケットであって、前記排水合流部を、前記偏心ソケットの偏心方向に対して側面側に形成されていることを特徴とする偏心ソケットが提供できる。
これにより、排水合流部を水洗便器のトラップ部側以外にくるように形成しているので、排水合流部に接続されるホースなどの接続部がトラップ部と干渉することがない。よって、偏心ソケットの配置を前後にする２パターンの使い方に制限を加えずに、トラップとの干渉を防止することができる。
【０００８】
また、請求項３記載の発明によれば、水洗便器の排水口と、床面まで起立状に配管された排水管との接続に用いられ、他の機器からの排水を受けられる排水合流部を有し、前記排水管の中心軸に対して回転して配置が可能な偏心ソケットであって、 前記偏心ソケットは、少なくとも前記水洗便器の排水口に連通される接続部と、前記接続部につながる第一管部と、前記第一管部と中心軸を異にし前記第一管部からの排水を受ける第二管部と、前記第二管部につながり床固定する固定部とからなり、前記他の機器からの排水を受ける排水合流部を前記第一管部または第二管部の偏心方向の側面側に形成されていることを特徴とする偏心ソケットが提供できる。
これにより、排水合流部を水洗便器のトラップ部側以外にくるように形成しているので、排水合流部に接続されるホースなどの接続部がトラップ部と干渉することがない。よって、偏心ソケットの配置を前後にする２パターンの使い方に制限を加えずに、トラップとの干渉を防止することができる。
【０００９】
また、請求項４記載の発明によれば、水洗便器の排水口と、床面まで起立状に配管された排水管との接続に用いられ、他の機器からの排水を受けられる排水合流部を有し、前記排水管の中心軸に対して回転して配置が可能な偏心ソケットであって、前記偏心ソケットは、少なくとも前記水洗便器の排水口に連通される接続部と、前記接続部につながる第一管部と、前記第一管部と中心軸を異にし前記第一管部からの排水を受ける第二管部と、前記第二管部につながり床固定する固定部とからなり、前記排水合流部が前記第一管部または前記第二管部に少なくとも２個以上形成されていることを特徴とする偏心ソケットが提供できる。
これにより、偏心ソケットを回転させて配置させた場合、少なくとも１個以上の排水合流部がトラップ部側以外にくるように形成しているため、排水合流部を自由に配置することができる。
【００１０】
また、請求項５記載の発明によれば、床面まで起立状に配管された排水管との接続に偏心ソケットを用い、前記偏心ソケットに他の機器からの排水合流部を有する水洗便器であって、前記偏心ソケットが請求項１から請求項５のいずれかに記載の偏心ソケットであることを特徴とする水洗便器が提供できる。
これにより、水洗便器を排水管から偏心距離を半径とする円上に設置することができ、水洗便器の排水口と排水管のずれが大きい場合でも、水洗便器の後端とトイレルームの後壁との隙間の調整が容易となる。
【発明の効果】
【００１１】
本発明によれば、排水合流部を偏心方向の側面側あるいは複数形成することでソケットを１８０度回転させた場合でも水洗便器のトラップ部側以外にくるようになるので、排水合流部に接続されるホースなどの接続部がトラップ部と干渉することがない。よって、偏心ソケットの配置に制限を加えずに、トラップとの干渉を防止することができるという効果がある。また、水洗便器においては、水洗便器の排水口と排水管のずれが大きい場合でも、水洗便器の後端とトイレルームの後壁との隙間の調整が容易となる効果がある。
【図面の簡単な説明】
【００１２】
【図１】本発明の第一実施例の全体図を示す図である。
【図２】図１の上面図の概略図である。
【図３】図１の偏心ソケットを拡大した図である。
【図４】本発明の第一実施例の斜視図である。
【図５】本発明の第一実施例の概略を示した図である。
【図６】本発明の第一実施例の概略を示した図である。
【図７】本発明の第二実施例の斜視図である。
【図８】本発明の第二実施例の概略を示した図である。
【図９】本発明の第二実施例の概略を示した図である。
【発明を実施するための形態】
【００１３】
以下、本発明の実施の形態について図面を参照しつつ説明する。
図１は水洗便器と手洗器の排水を合流させる本発明の第一実施例の全体を示す図である。図１において、水洗便器１、手洗器２が設置されて、手洗器２は手洗キャビネット３上に設置されたものである。床面４０には水洗便器１から配管１００に排水するための偏心ソケット５０が固定されており、偏心ソケット５０には後述する側面に突出した排水合流部５１ａがある。手洗器２からの排水は手洗排水トラップ８と排水合流部５１ａに排水ホース７を接続し、偏心ソケット５０に合流させている。排水合流部５１ａは手洗器２からの排水を合流させるために中空形状になっている。また、手洗器キャビネット３から壁面３０に沿って水平方向に箱体の横引き配管カバー４が設けられ、この横引き配管カバー４の上面にはカウンター５が設けられており、横引き配管カバー４の右端から、縦に配管キャビネット６が垂設されたものとなっている。排水ホース７は横引き配管カバー４、配管キャビネット６内に隠蔽状に通され、手洗排水トラップ８、排水合流部５１ａに接続されている。
【００１４】
図２に示すように、排水ホース７は回り込んで排水合流部５１ａに接続されている。このように配管１００への水洗便器１からの排水経路に対し、手洗器２の排水経路を接続して、手洗器２を設置することができるものであり、手洗器２を設置する際に、手洗器２用の排水管を別個に配管する手間がかからず、コストを低減させて、水洗便器１と共に手洗器２を設置することができるものである。
【００１５】
本発明の第一実施例を図３から図６を用いて説明する。
図３に示すように、本発明の第一実施例の偏心ソケット５０は、水洗便器１のトラップ２１を接続するための接続部５２と、水洗便器１からの排水を配管１００へ排水するための円管状の第一管部５３、第二管部５４と、偏心ソケットを床面４０に固定するための固定部５５で構成されている。また、固定部５５にはボルトで床面４０に固定するための貫通した固定穴５６が四隅にある。また、第一管部５３には偏心量Ａの偏心方向の側面に突出した合流部５１ａがある。排水合流部５１ａは第二管部５４の偏心方向の側面に突出していてもよい。
【００１６】
図４に示すように、排水合流部５１ａは固定部５５の中心軸２０１上にある。接続部５２の中心軸２００は固定部５５の中心軸２０１とは距離Ａだけ偏心している。また、このソケットは、床面まで起立状に配管された排水管１０１に対して回転させて配置可能であり、図５、図６に示すように固定部５５の中心軸２０１を軸に１８０度回転させた場合でも、固定部５５の中心軸２０１上にあって、接続部５２の中心軸２００と距離Ａだけ偏心させることができるものである。
【００１７】
尚、図５は接続部５２が壁面３０側に近付いた場合、図６は図５で示した偏心ソケット５０を固定部５５の中心軸２０１を軸に反転させた場合であり、以下それぞれを後側に偏心したパターン、前側に偏心したパターンと呼ぶ。このように偏心ソケット５０は前側に偏心したパターン、後側に偏心したパターンのいずれにおいても排水合流部５１ａが偏心方向の側面側に突出しているため、排水ホース７と排水合流部５１ａを接続させても、トラップ２１に干渉することがない。
【００１８】
本発明の第二実施例を図７から図９を用いて説明する。
本発明の第二実施例は、第一実施例とは排水合流部の位置と数が異なる。
偏心ソケット１５０の第一管部には図７に示すように水洗便器１側、壁面３０側それぞれに排水合流部１５１ａ、１５１ｂが設けられている。排水合流部は第一管部、第二管部であれば、自由に配置されていてもよい。
【００１９】
図８、９に示すように接続部１５２の中心軸２００と固定部１５５の中心軸２０１は距離Ａだけ偏心しており、固定部１５５の中心軸２０１を軸に１８０度回転させた場合でも接続部１５２の中心軸２００と距離Ａだけ偏心させることが可能である。
【００２０】
そのため前側に偏心したパターン、後側に偏心したパターンのいずれにおいても壁面３０側に排水合流部が突出しているため、排水ホース７を接続することができる。このように偏心ソケット１５０が前側に偏心したパターン、後側に偏心したパターンのいずれにおいても排水合流部が壁面３０側に突出しているため、壁面３０側の排水合流部と排水ホース７を接続させても、トラップ２１に干渉することがない。また、排水合流部は手洗器２からの排水を合流させるために中空形状になっているが、排水ホース７を接続しない水洗便器１側の排水合流部は円柱形状の部材で塞いでおくことで排水が漏れることがない。
【００２１】
また、本実施例では排水合流部を円柱形状で示したが、排水ホース７を差し込むことができる穴でもよい。その場合も排水ホース７を差し込まない排水合流部は穴を塞いでおくことで排水が漏れることがない。
【符号の説明】
【００２２】
１…水洗便器
２…手洗器
３…手洗キャビネット
４…横引き配管カバー
５…カウンター
６…配管カバー
７…排水ホース
８…手洗排水トラップ
２１…トラップ
３０…後壁
４０…床面
５０…偏心ソケット
５１ａ、１５１a、ｂ…排水合流部
５２、１５２…トラップ接続部
５３、１５３…第一管部
５４、１５４…第二管部
５５、１５５…固定部
５６、１５６…固定穴
１００…配管
１０１…排水管
２００…トラップ接続部の中心軸
２０１…固定部の中心軸
Ａ…偏心距離
【図１】
2013072187.tif 000003
【図２】
2013072187.tif 000004
【図３】
2013072187.tif 000005
【図４】
2013072187.tif 000006
【図５】
2013072187.tif 000007
【図６】
2013072187.tif 000008
【図７】
2013072187.tif 000009
【図８】
2013072187.tif 000010
【図９】
2013072187.tif 000011